【手続補正書】
【提出日】平成29年5月8日(2017.5.8)
【手続補正１】
【補正対象書類名】明細書
【補正対象項目名】００７０
【補正方法】変更
【補正の内容】
【００７０】
他の実施態様
本明細書において開示した特徴の全てを任意の組み合わせで組み合わせてもよい。本明細書において開示した各特徴を別の特徴で置き換えて、同一、等価又は類似の用途に使用してもよい。従って、特にことわらない限り、開示した各特徴は単に一般的な一連の等価又は類似の特徴の一例である。
実際に、カプセルデリバリーシステムの目的を達成するために、当業者は異なるカプセルを用いて、消耗品において望ましい感覚刺激プロファイル又は放出プロファイルを達成し得る。更に、これらのカプセル間の比を当該技術において既知の分析によって当業者が決定して、望ましい特性を有するデリバリーシステムを調製することもできる。
上記説明から、当業者は本発明の本質的特徴を容易に確認することができ、本発明の精神及び範囲から逸脱することなく本発明の種々の変更及び修正を種々の使用法及び状態に適応させることができる。従って、他の実施態様も特許請求の範囲の範囲内にある。
本発明のまた別の態様は、以下のとおりであってもよい。
〔１〕第1の活性材料を封入している第1のカプセル壁を含有する第1のカプセル及び第2の活性材料を封入している第2のカプセル壁を含有する第2のカプセルを含むカプセルデリバリーシステムであって、第1のカプセルと第2のカプセルが、その壁材料、壁材料の量、壁材料の比、コア変性剤、捕捉剤、活性材料、硬化温度、加熱速度、硬化時間又はこれらの組み合わせで異なっている、前記カプセルデリバリーシステム。
〔２〕第1のカプセル壁と第2のカプセル壁双方がメラミン-ホルムアルデヒドから形成される、前記〔1〕に記載のカプセルデリバリーシステム。
〔３〕第1のカプセルを約120℃以上で約0.5〜約5時間硬化させ、第2のカプセルを約70℃以上で約0.5〜約5時間硬化させる、前記〔2〕に記載のカプセルデリバリーシステム。
〔４〕活性材料を含有するデンプン粒子を更に含む、前記〔2〕に記載のカプセルデリバリーシステム。
〔５〕第1のカプセルが
(i) 第1の活性材料として第1のフレグランスを含有し、第1のフレグランスが複数のフレグランス成分を有し、それの約50〜100質量%が約0.01mmHg以上の23℃における飽和蒸気圧を有し、且つ
(ii) 約100℃以上で約0.5〜約2時間硬化させ; 更に
第2のカプセルが
(i) 第2の活性材料として第2のフレグランスを含有し、第2のフレグランスが複数のフレグランス成分を有し、それの約20〜100質量%が約0.01mmHg以上の23℃における飽和蒸気圧を有し、且つ
(ii) 約100℃未満の温度で約0.5〜約2時間硬化させる、
前記〔2〕に記載のカプセルデリバリーシステム。
〔６〕第1のカプセルが
(i) 第1の活性材料として第1のフレグランスを含有し、第1のフレグランスが複数のフレグランス成分を有し、それの約50〜100質量%が約0.01mmHg以上の23℃における飽和蒸気圧を有し、且つ
(ii) 約70〜約130℃の温度で約2〜約4時間硬化させ; 更に
第2のカプセルが
(a) 第2の活性材料として第2のフレグランスを含有し、第2のフレグランスが複数のフレグランス成分を有し、フレグランスの約20〜100質量%が約0.01mmHg以上の23℃における飽和蒸気圧を有し、且つ
(ii) 約70〜約130℃の温度で約0.5〜約1.5時間硬化させる、
前記〔2〕に記載のカプセルデリバリーシステム。
〔７〕第1のカプセル壁がメラミン-ホルムアルデヒドから形成され、第2のカプセル壁がポリ尿素又はポリウレタンから形成される、前記〔1〕に記載のカプセルデリバリーシステム。
〔８〕第1のカプセルを約70℃以上で約0.5〜約5時間硬化させ、第2のカプセルを約50℃以上で約0.5〜5時間硬化させる、前記〔7〕に記載のカプセルデリバリーシステム。
〔９〕活性材料を含有するデンプン粒子を更に含む、前記〔7〕に記載のカプセルデリバリーシステム。
〔１０〕第1のカプセルが
(i) 第1の活性材料としてフレグランスを含有し、第1のフレグランスが複数のフレグランス成分を有し、それの約50〜100質量%が約0.01mmHg以上の23℃における飽和蒸気圧を有し、且つ
(ii) 約70〜約130℃の温度で約0.5〜約2時間硬化させ; 更に
第2のカプセルが
(a) 第2の活性材料としてフレグランスを含有し、第2のフレグランスが複数のフレグランス成分を有し、それの約20〜100質量%が約0.01mmHg以上の23℃における飽和蒸気圧を有し、且つ
(ii) 約50〜約110℃の温度で約0.5〜約2時間硬化させる、
前記〔7〕に記載のカプセルデリバリーシステム。
〔１１〕第1の活性材料又は第2の活性材料がフレグランスである、前記〔1〕に記載のカプセルデリバリーシステム。
〔１２〕第1のカプセルと第2のカプセルが約1:9〜約9:1の比で存在する、前記〔1〕に記載のカプセルデリバリーシステム。
〔１３〕第1の活性材料又は第2の活性材料が悪臭中和剤を含んでいる、前記〔1〕に記載のカプセルデリバリーシステム。
〔１４〕悪臭中和剤が1-シクロヘキシルエタン-1-イルブチレート、1-シクロヘキシルエタン-1-イルアセテート、1-シクロヘキシルエタン-1-オール、1-(4'-メチルエチル)シクロヘキシルエタン-1-イルプロピオネート、2'-ヒドロキシ-1'-エチル(2-フェノキシ)アセテート、又はこれらの組み合わせである、前記〔13〕に記載のカプセルデリバリーシステム。
〔１５〕第1のカプセルと第2のカプセルが、消費者製品ベースに添加され且つ約37℃で貯蔵される場合に4週間以上安定であり、消費者製品がファブリックコンディショナー、洗剤、ファブリックスプレー、パーソナルウォッシュ用品、ホームケア用品、液状石けん、又はヘアケア用品である、前記〔1〕に記載のカプセルデリバリーシステム。
〔１６〕第1の活性材料と第2の活性材料が、同じか又は異なっている、前記〔1〕に記載のカプセルデリバリーシステム。
〔１７〕第3のカプセル、第4のカプセル、第5のカプセル、第6のカプセル、又は第7のカプセルを更に含む、前記〔1〕に記載のカプセルデリバリーシステム。
〔１８〕前記〔1〕に記載のカプセルデリバリーシステムを含んでいる消費者製品。
〔１９〕消費者製品が、ファブリックコンディショナー、洗剤、ファブリックスプレー、パーソナルウォッシュ用品、ホームケア用品、液状石けん、シャンプー、リンスオフコンディショナー、又はリーブオンコンディショナーである、前記〔18〕に記載の消費者製品。
〔２０〕消費者製品がファブリックコンディショナー又は洗剤であり、ファブリックコンディショナーが約1〜約30質量%のファブリックコンディショニング活性物質を含有し、洗剤が約1〜約75質量%の洗剤界面活性剤を含有する、前記〔18〕に消費者製品。
〔２１〕消費者製品が約5〜約10質量%のファブリックコンディショニング活性物質を含有するファブリックコンディショナーである、前記〔20〕に記載の消費者製品。
〔２２〕消費者製品が約8〜約15質量%のファブリックコンディショニング活性物質を含有するファブリックコンディショナーである、前記〔20〕に記載の消費者製品。
【手続補正２】
【補正対象書類名】特許請求の範囲
【補正対象項目名】全文
【補正方法】変更
【補正の内容】
【特許請求の範囲】
【請求項１】
第１の活性材料を封入している第１のカプセル壁を含有する第１のカプセル及び第２の活性材料を封入している第２のカプセル壁を含有する第２のカプセルを含むカプセルデリバリーシステムであって、
第１のカプセルが、約１２０℃〜約１３０℃で、約０．５〜約２時間、硬化され、
第２のカプセルが、約７０℃〜約９０℃で、約０．５〜約２時間、硬化され、
第１及び第２のカプセル壁の双方が、それぞれ、コポリアクリルアミド/アクリレート及びメチル化メラミン架橋剤から形成され、
前記第１及び第２の活性材料の各々は、フレグランスである、
カプセルデリバリーシステム。
【請求項２】
活性材料を含有するデンプン粒子を更に含む、請求項１に記載のカプセルデリバリーシステム。
【請求項３】
第１のカプセルが、第１の活性材料として第１のフレグランスを含有し、第１のフレグランスが複数のフレグランス成分を有し、そのうちの約５０〜１００質量％が約０．０１ｍｍＨｇ以上の２３℃における飽和蒸気圧を有し、
第２のカプセルが、第２の活性材料として第２のフレグランスを含有し、第２のフレグランスが複数のフレグランス成分を有し、そのうちの約２０〜１００質量％が約０．０１ｍｍＨｇ以上の２３℃における飽和蒸気圧を有する、
請求項１に記載のカプセルデリバリーシステム。
【請求項４】
第１のカプセルと第２のカプセルが約１：９〜約９：１の比で存在する、請求項１に記載のカプセルデリバリーシステム。
【請求項５】
第１の活性材料又は第２の活性材料が悪臭中和剤を更に含んでいる、請求項１に記載のカプセルデリバリーシステム。
【請求項６】
悪臭中和剤が１−シクロヘキシルエタン−１−イルブチレート、１−シクロヘキシルエタン−１−イルアセテート、１−シクロヘキシルエタン−１−オール、１−（４’−メチルエチル）シクロヘキシルエタン−１−イルプロピオネート、２’−ヒドロキシ−１’−エチル（２−フェノキシ）アセテート、又はこれらの組み合わせである、請求項５に記載のカプセルデリバリーシステム。
【請求項７】
第１のカプセルと第２のカプセルが、消費者製品ベースに添加され且つ約３７℃で貯蔵される場合に４週間以上安定であり、消費者製品がファブリックコンディショナー、洗剤、ファブリックスプレー、パーソナルウォッシュ用品、ホームケア用品、液状石けん、又はヘアケア用品である、請求項１に記載のカプセルデリバリーシステム。
【請求項８】
第１の活性材料と第２の活性材料が、異なっている、請求項１に記載のカプセルデリバリーシステム。
【請求項９】
第３のカプセル、第４のカプセル、第５のカプセル、第６のカプセル、又は第７のカプセルを更に含む、請求項１に記載のカプセルデリバリーシステム。
【請求項１０】
請求項１に記載のカプセルデリバリーシステムを含んでいる消費者製品。
【請求項１１】
消費者製品が、ファブリックコンディショナー、洗剤、ファブリックスプレー、パーソナルウォッシュ用品、ホームケア用品、液状石けん、シャンプー、リンスオフコンディショナー、又はリーブオンコンディショナーである、請求項１０に記載の消費者製品。
【請求項１２】
消費者製品がファブリックコンディショナー又は洗剤であり、ファブリックコンディショナーが約１〜約３０質量％のファブリックコンディショニング活性物質を含有し、洗剤が約１〜約７５質量％の洗剤界面活性剤を含有する、請求項１０に消費者製品。
【請求項１３】
消費者製品が約５〜約１０質量％のファブリックコンディショニング活性物質を含有するファブリックコンディショナーである、請求項１２に記載の消費者製品。
【請求項１４】
消費者製品が約８〜約１５質量％のファブリックコンディショニング活性物質を含有するファブリックコンディショナーである、請求項１２に記載の消費者製品。
【請求項１５】
第１のカプセルが約８０℃で約１時間硬化され、第２のカプセルが約１２５℃で約１時間硬化される、請求項１に記載のカプセルデリバリーシステム。
【請求項１６】
第１の活性材料と第２の活性材量とが同じである、請求項１に記載のカプセルデリバリーシステム。